(57)【要約】【課題】操作性及び安全性を損なうことなく、複数の表示部のコンテンツ画面の表示をユーザが適切に切替える。【解決手段】車両用表示制御システムは、車室内に配置されている第１表示部１０と、車室内に配置されている第２表示部１４と、車室内においてユーザが運転姿勢を維持したまま操作可能な位置に配置され、ユーザからの第１画面切替操作及び第２画面切替操作を受付ける画面切替操作受付部１７と、ユーザからの第１画面切替操作が受付けられると、第１表示部におけるコンテンツ画面の表示を切替える第１画面切替制御を行い、ユーザからの第２画面切替操作が受付けられると、第２表示部におけるコンテンツ画面の表示を切替える第２画面切替制御を行う画面切替制御部２５と、を備える。【選択図】図４
2019202723.tif 000002
【特許請求の範囲】
【請求項１】
車室内に配置されている１つ以上の第１表示部（１０）と、
車室内に配置されている１つ以上の第２表示部（１４）と、
車室内においてユーザが運転姿勢を維持したまま操作可能な位置に配置され、ユーザからの第１画面切替操作及び第２画面切替操作を受付ける画面切替操作受付部（１７）と、
ユーザからの前記第１画面切替操作が受付けられると、前記第１表示部におけるコンテンツ画面の表示を切替える第１画面切替制御を行い、ユーザからの前記第２画面切替操作が受付けられると、前記第２表示部におけるコンテンツ画面の表示を切替える第２画面切替制御を行う画面切替制御部（２５）と、を備える車両用表示制御システム。
【請求項２】
前記画面切替操作受付部は、コンテンツを特定可能なアイコンを表示するタッチパネルに設けられ、ユーザが前記アイコンに対して行う操作を前記画面切替操作として受付ける請求項１に記載した車両用表示制御システム。
【請求項３】
前記画面切替操作受付部は、ユーザが前記アイコンに対して行う第１所定操作を前記第１画面切替操作として受付け、ユーザが前記アイコンに対して行う第２所定操作を前記第２画面切替操作として受付ける請求項２に記載した車両用表示制御システム。
【請求項４】
前記第１表示部は、車室内においてユーザが運転姿勢を維持したまま操作可能な位置に配置され、
前記画面切替操作受付部と前記第１表示部とが一体的に設けられている請求項１から３の何れか一項に記載した車両用表示制御システム。
【請求項５】
前記画面切替操作受付部は、前記アイコンと共に、前記第１表示部に表示中のコンテンツ画面を特定可能な第１特定情報及び前記第２表示部に表示中のコンテンツ画面を特定可能な第２特定情報を表示する請求項２から４の何れか一項に記載した車両用表示制御システム。
【請求項６】
前記第２表示部は、車室内においてユーザが車両前方から視線移動せずに視認可能な位置に配置され、
ユーザからのポップアップ画面の表示開始操作を受付ける第１開始操作受付部（２１）と、
ユーザからの前記ポップアップ画面の表示開始操作が受付けられると、その表示開始操作にしたがって前記第２表示部への前記ポップアップ画面の表示を開始させる第１表示制御部（２６）と、を備える請求項１に記載した車両用表示制御システム。
【請求項７】
ユーザからの前記ポップアップ画面の表示切替操作を受付ける第１切替操作受付部（２２）を備え、
前記第１表示制御部は、ユーザからの前記ポップアップ画面の表示切替操作が受付けられると、その表示切替操作にしたがって前記ポップアップ画面の表示を切替える請求項６に記載した車両用表示制御システム。
【請求項８】
車載機器の動作を制御する機器制御部（２９）と、
ユーザからの前記ポップアップ画面中の所定項目に対する所定操作を受付ける第１所定操作受付部（２３）と、を備え、
前記機器制御部は、ユーザからの前記ポップアップ画面中の所定項目に対する所定操作が受付けられると、その所定操作にしたがって車載機器の動作を制御し、
前記第１表示制御部は、ユーザからの前記ポップアップ画面中の所定項目に対する所定操作が受付けられると、その所定操作にしたがって前記所定項目の表示を更新する請求項６又は７に記載した車両用表示制御システム。
【請求項９】
前記第１表示部は、車室内においてユーザが運転姿勢を維持したまま操作可能な位置に配置され、
前記第２表示部は、車室内においてユーザが車両前方から視線移動せずに視認可能な位置に配置され、
前記第１表示部に設けられ、ユーザからのポップアップ画面の表示開始操作を受付ける第２開始操作受付部（１８）と、
ユーザの視線方向を特定する視線方向特定部（２７）と、
ユーザからの前記ポップアップ画面の表示開始操作が受付けられると、ユーザの視線方向が前記第１表示部の方向であると特定されている場合には、その表示開始操作にしたがって前記第１表示部への前記ポップアップ画面の表示を開始させ、ユーザの視線方向が前記第２表示部の方向であると特定されている場合には、その表示開始操作にしたがって前記第２表示部への前記ポップアップ画面の表示を開始させる第２表示制御部（２８）と、を備える請求項１に記載した車両用表示制御システム。
【請求項１０】
ユーザからの前記ポップアップ画面の表示切替操作を受付ける第２切替操作受付部（１９）を備え、
前記第２表示制御部は、ユーザからの前記ポップアップ画面の表示切替操作が受付けられると、その表示切替操作にしたがって前記ポップアップ画面の表示を切替える請求項９に記載した車両用表示制御システム。
【請求項１１】
車載機器の動作を制御する機器制御部（２９）と、
ユーザからの前記ポップアップ画面中の所定項目に対する所定操作を受付ける第２所定操作受付部（２０）と、を備え、
前記機器制御部は、ユーザからの前記ポップアップ画面中の所定項目に対する所定操作が受付けられると、その所定操作にしたがって車載機器の動作を制御し、
前記第２表示制御部は、ユーザからの前記ポップアップ画面中の所定項目に対する所定が受付けられると、その所定操作にしたがって前記所定項目の表示を更新する請求項９又は１０に記載した車両用表示制御システム。
【請求項１２】
車室内に配置されている１つ以上の第１表示部（１０）と、車室内に配置されている１つ以上の第２表示部（１４）と、車室内においてユーザが運転姿勢を維持したまま操作可能な位置に配置され、ユーザからの第１画面切替操作及び第２画面切替操作を受付ける画面切替操作受付部（１７）と、を備える車両用表示制御システムに、
ユーザからの前記第１画面切替操作が受付けられると、前記第１表示部におけるコンテンツ画面の表示を切替える第１画面切替制御を行う第１画面切替制御手順と、
ユーザからの前記第２画面切替操作が受付けられると、前記第２表示部におけるコンテンツ画面の表示を切替える第２画面切替制御を行う第２画面切替制御手順と、を実行させる車両用表示制御プログラム。
【請求項１３】
請求項１２に記載した表示制御プログラムを記憶するコンピュータ読み取り可能な非一時的な記憶媒体。
【発明の詳細な説明】
【技術分野】
【０００１】
本発明は、車両用表示制御システム、車両用表示制御プログラム及び記憶媒体に関する。
【背景技術】
【０００２】
車室内で提供されるコンテンツは多岐にわたっており、例えばナビゲーション画面、オーディオ画面、エアコン画面等の複数のコンテンツ画面が同時に表示される構成が供されている。このようなコンテンツ画面の多様化に伴い、コンテンツ画面を表示する表示装置も種々な種類が搭載されつつある。車室内において複数の表示装置を備える構成としては、例えば運転席から比較的近く、運転者であるユーザが運転姿勢を維持したまま操作可能な位置に配置される操作ディスプレイと、運転席から比較的遠く、ユーザが車両前方から視線移動せずに視認可能な位置に配置される遠方ディスプレイとを備える構成が想定される。一方、複数の表示部を備える従来技術として、情報処理装置において、第１表示部と第２表示部とを備える構成が供されている（例えば特許文献１参照）。
【先行技術文献】
【特許文献】
【０００３】
【特許文献１】特開２０１２−３５０８号公報
【発明の概要】
【発明が解決しようとする課題】
【０００４】
特許文献１に開示されている構成では、第１表示部に第１タッチパネル部が設けられると共に、第２表示部に第２タッチパネル部が設けられ、第１表示部と第２表示部との両方にタッチパネル部が設けられている構成である。そのため、上記したような操作ディスプレイと遠方ディスプレイとを備える構成において、特許文献１に開示されている技術を適用すると、遠方ディスプレイにもタッチパネル部が設けられる構成となる。しかしながら、遠方ディスプレイにタッチパネル部が設けられる構成では、ユーザが運転姿勢を崩して遠方ディスプレイを操作せざるを得ず、操作性及び安全性の点で問題がある。
【０００５】
本発明は、上記した事情に鑑みてなされたものであり、その目的は、車室内に複数の表示部が配置されている構成において、操作性及び安全性を損なうことなく、複数の表示部におけるコンテンツ画面の表示をユーザが適切に切替えることができる車両用表示制御システム、車両用表示制御プログラム及び記憶媒体を提供することにある。
【課題を解決するための手段】
【０００６】
請求項１に記載した発明によれば、画面切替操作受付部（１７）は、車室内においてユーザが運転姿勢を維持したまま操作可能な位置に配置され、ユーザからの第１画面切替操作及び第２画面切替操作を受付ける。画面切替制御部（２５）は、ユーザからの第１画面切替操作が受付けられると、第１表示部（１０）におけるコンテンツ画面の表示を切替える第１画面切替制御を行い、ユーザからの第２画面切替操作が受付けられると、第２表示部（１４）におけるコンテンツ画面の表示を切替える第２画面切替制御を行う。
【０００７】
車室内において第１表示部及び第２表示部が配置されている位置に拘らず、ユーザが運転姿勢を維持したまま画面切替操作を行うことで、第１表示部及び第２表示部のそれぞれのコンテンツ画面の表示を切替えることができる。これにより、操作性及び安全性を損なうことなく、複数の表示部におけるコンテンツ画面の表示をユーザが適切に切替えることができる。
【図面の簡単な説明】
【０００８】
【図１】一実施形態を示し、車室内における装置の配置を示す図
【図２】操作ディスプレイを示す図（その１）
【図３】遠方ディスプレイを示す図
【図４】システムの全体構成を示す機能ブロック図
【図５】アイコンの操作判定処理を示すフローチャート
【図６】コンテンツ画面が切替わる態様を示す図（その１）
【図７】コンテンツ画面が切替わる態様を示す図（その２）
【図８】コンテンツ画面が切替わる態様を示す図（その３）
【図９】アイコンの表示態様を示す図（その１）
【図１０】アイコンの表示態様を示す図（その２）
【図１１】アイコンの表示態様を示す図（その３）
【図１２】アイコンの表示態様を示す図（その４）
【図１３】アイコンの表示態様を示す図（その５）
【図１４】ステアリングスイッチの操作判定処理を示すフローチャート
【図１５】遠方ディスプレイにおいてポップアップ画面の表示が開始される態様を示す図
【図１６】遠方ディスプレイにおいてポップアップ画面の表示が切替わる態様を示す図
【図１７】ポップアップ画面中の所定項目の表示が更新される態様を示す図（その１）
【図１８】ダイヤルの操作判定処理を示すフローチャート（その１）
【図１９】ダイヤルの操作判定処理を示すフローチャート（その２）
【図２０】ダイヤルの操作判定処理を示すフローチャート（その３）
【図２１】ダイヤルの操作判定処理を示すフローチャート（その４）
【図２２】操作ディスプレイにおいてポップアップ画面の表示が開始される態様を示す図
【図２３】操作ディスプレイにおいてポップアップ画面の表示が切替わる態様を示す図
【図２４】ポップアップ画面中の所定項目の表示が更新される態様を示す図（その２）
【発明を実施するための形態】
【０００９】
以下、本発明の一実施形態について図面を参照して説明する。本実施形態では、車両前進方向を見て運転席が左側に配置されている車両に適用した構成を例示して説明する。図１に示すように、車室内において、ステアリング１の右側に（車室内の中央側寄りに）は、操作ディスプレイ２がダッシュボード３の前面部３ａに配置されている。即ち、操作ディスプレイ２は、運転席から比較的近く、ユーザが運転姿勢を維持したまま操作可能な位置に配置されている。ユーザは、運転姿勢を維持したまま操作ディスプレイ２を操作可能であるが、操作ディスプレイ２の画面を視認する際には車両前方から視線移動することになる。操作ディスプレイ２の上側には、連携演出表示機４が配置されている。
【００１０】
ステアリング１の奥側であり且つフロントガラス５の手前には、メータディスプレイ６と遠方ディスプレイ７とがダッシュボード３の上面部３ｂにユーザの前方視界を妨げない範囲で左右方向に並んで配置されている。即ち、遠方ディスプレイ７は、運転席から比較的遠く、ユーザが車両前方から視線移動せずに視認可能な位置に配置されている。ユーザは、車両前方から視線移動せずに遠方ディスプレイ７の画面を視認可能である。メータディスプレイ６と遠方ディスプレイ７とは、一体で構成されていても良いし別体で構成されていても良い。ステアリング１には、ユーザが操作可能なステアリングスイッチ８が配置されている。ユーザは、運転姿勢を維持したままステアリングスイッチ８を操作可能である。ステアリングスイッチ８は、例えば十字型、プッシュ型、トグル型、シーソー型等のどのような形状でも良い。
【００１１】
操作ディスプレイ２は、図２に示すように、例えば１１．６インチ型のディスプレイであり、その上部がアイコン表示部９とされていると共に、その下部がコンテンツ画面表示部１０（第１表示部に相当する）とされており、その表示面の全体がタッチパネルとなっている。アイコン表示部９は、コンテンツを示すアイコンを左右方向に並べて表示可能となっている。本実施形態では、アイコン表示部９が表示するアイコンは、ナビアイコン１１ａ、オーディオアイコン１１ｂ、電話アイコン１１ｃ、エアコンアイコン１１ｄである。アイコン表示部９は、左右のスクロールキーを表示しており、ユーザが左右のスクロールキーを操作すると、上記したアイコン１１ａ〜１１ｄ以外のアイコンもスクロール表示する。
【００１２】
コンテンツ画面表示部１０は、コンテンツ画面を表示可能となっている。本実施形態では、コンテンツ画面表示部１０が表示するコンテンツ画面は、ナビ画面、オーディオ画面、電話画面、エアコン画面である。ナビ画面は、地図上における車両の現在位置、現在位置から目的地までの経路、目的地までの到着予想時刻等を表示する画面である。オーディオ画面は、ラジオや記録媒体等のコンテンツの種別、ラジオチャンネル、再生中の楽曲リスト、音量設定等を表示する画面である。電話画面は、着信待機中や呼出中等の状態種別、着信電話番号、発信番号、電話帳リスト等を表示する画面である。エアコン画面は、温度設定、風向設定等を表示する画面である。
【００１３】
又、操作ディスプレイ２は、ユーザが回動操作及び押込み操作可能なダイヤル１２を有すると共に、運転席に着座しているユーザの目元の周辺を撮影するカメラ１３を有する。本実施形態では、カメラ１３が操作ディスプレイ２と一体に設けられているが、カメラ１３が操作ディスプレイ２と別体に設けられていても良い。
【００１４】
遠方ディスプレイ７は、図３に示すように、例えば１２．３インチ型のディスプレイであり、その表示面の全体がコンテンツ画面表示部１４（第２表示部に相当する）とされている。本実施形態では、コンテンツ画面表示部１４が表示するコンテンツ画面は、操作ディスプレイ２のコンテンツ画面表示部１０が表示するコンテンツ画面と同様に、ナビ画面、オーディオ画面、電話画面、エアコン画面である。即ち、車室内では、操作ディスプレイ２にコンテンツ画面が表示されると共に、遠方ディスプレイ７にコンテンツ画面が表示されることで、配置位置が異なる２つのディスプレイで２つのコンテンツ画面が同時に表示される。
【００１５】
図４に示すように、車両用表示制御システム１５は、表示制御ＥＣＵ（Electronic Control Unit）１６と、操作ディスプレイ２と、連携演出表示機４と、遠方ディスプレイ７と、ステアリングスイッチ８とを有する。これらの各部品同士は車両ハーネスで接続されている。車両ハーネスによる接続は、例えばＣＡＮ（Controller Area Network、登録商標）、ＦｌｅｘＲａｙ（登録商標）、ＭＯＳＴ（Media Oriented Systems Transport、登録商標）、ＡＶＣ−ＬＡＮ（Audio visual Communication-Local Area Network）等の車内ＬＡＮでも良い。車両用表示制御システム１５は、例えばＡＣＣ電源のオンオフに連動して起動状態とスリープ状態とを切替え、ＡＣＣ電源がオフからオンに切替わることで起動状態に移行し、ＡＣＣ電源がオンからオフに切替わることでスリープ状態に移行する。
【００１６】
操作ディスプレイ２において、アイコン表示部９は、画面切替操作受付部１７を有する。画面切替操作受付部１７は、ユーザがアイコン１１ａ〜１１ｄの何れかに対して操作を行うと、その操作を画面切替操作として受付け、その操作を示すアイコン操作検知信号を表示制御ＥＣＵ１６に出力する。又、アイコン表示部９は、表示制御ＥＣＵ１６からアイコン表示制御信号を入力すると、その入力したアイコン表示制御信号にしたがってアイコン１１ａ〜１１ｄの表示態様を変更する。
【００１７】
コンテンツ画面表示部１０は、表示制御ＥＣＵ１６から画面切替制御信号を入力すると、その入力した画面切替制御信号にしたがってコンテンツ画面の表示を切替える。又、コンテンツ画面表示部１０は、表示制御ＥＣＵ１６からポップアップ画面制御信号を入力すると、その入力したポップアップ画面制御信号にしたがってコンテンツ画面上へのポップアップ画面の表示を開始したり切替えたりポップアップ画面中の所定項目の表示を更新したりする。
【００１８】
ダイヤル１２は、第２開始操作受付部１８と、第２切替操作受付部１９と、第２所定操作受付部２０とを有する。第２開始操作受付部１８は、ユーザがダイヤル１２に触れる操作を行うと、その操作をポップアップ画面の表示開始操作として受付け、その表示開始操作を示す第２開始操作検知信号を表示制御ＥＣＵ１６に出力する。第２切替操作受付部１９は、ユーザがダイヤル１２を押込む操作を行うと、その操作をポップアップ画面の表示切替操作として受付け、その表示切替操作を示す第２切替操作検知信号を表示制御ＥＣＵ１６に出力する。第２所定操作受付部２０は、ユーザがダイヤル１２を回動する操作を行うと、その操作をポップアップ画面中の所定項目に対する所定操作として受付け、その所定操作を示す第２所定操作検知信号を表示制御ＥＣＵ１６に出力する。カメラ１３は、撮影すると、その撮影した映像を含む映像信号を表示制御ＥＣＵ１６に出力する。
【００１９】
連携演出表示機４は、表示制御ＥＣＵ１６から演出制御信号を入力すると、その入力した演出制御信号にしたがって連携演出を実施する。
【００２０】
遠方ディスプレイ７において、コンテンツ画面表示部１４は、表示制御ＥＣＵ１６から画面切替制御信号を入力すると、その入力した画面切替制御信号にしたがってコンテンツ画面の表示を切替える。又、コンテンツ画面表示部１４は、表示制御ＥＣＵ１６からポップアップ画面制御信号を入力すると、その入力したポップアップ画面制御信号にしたがってコンテンツ画面上へのポップアップ画面の表示を開始したり切替えたりポップアップ画面中の所定項目の表示を更新したりする。
【００２１】
ステアリングスイッチ８は、第１開始操作受付部２１と、第１切替操作受付部２２と、第１所定操作受付部２３とを有する。第１開始操作受付部２１は、ユーザがステアリングスイッチ８を操作してポップアップ画面の表示開始操作を行うと、その表示開始操作を示す第１開始操作検知信号を表示制御ＥＣＵ１６に出力する。第１切替操作受付部２２は、ユーザがポップアップ画面の表示切替操作を行うと、その表示切替操作を示す第１切替操作検知信号を表示制御ＥＣＵ１６に出力する。第１所定操作受付部２３は、ユーザがポップアップ画面中の所定項目に対する所定操作を行うと、その所定操作を示す第１所定操作検知信号を表示制御ＥＣＵ１６に出力する。
【００２２】
表示制御ＥＣＵ１６は、制御部２４を有する。制御部２４は、ＣＰＵ（Central Processing Unit）、ＲＯＭ（Read Only Memory）、ＲＡＭ（Random Access Memory）及びＩ／Ｏ（Input／Output）を有するマイコンにより構成される。マイコンは、非遷移的実体的記憶媒体に格納されているコンピュータプログラムを実行し、コンピュータプログラムに対応する処理を実行する。マイコンが実行するコンピュータプログラムには車両用表示制御プログラムが含まれる。
【００２３】
制御部２４は、画面切替制御部２５と、第１表示制御部２６と、視線方向特定部２７と、第２表示制御部２８と、機器制御部２９とを有する。画面切替制御部２５は、操作ディスプレイ２のアイコン表示部９からアイコン操作検知信号を入力すると、その入力したアイコン操作検知信号によりユーザが画面切替操作を行ったことを特定し、画面切替制御信号をコンテンツ画面表示部１０又はコンテンツ画面表示部１４に出力し、コンテンツ画面表示部１０又はコンテンツ画面表示部１４におけるコンテンツ画面の表示を切替える。又、画面切替制御部２５は、アイコン表示制御信号をアイコン表示部９に出力し、アイコン１１ａ〜１１ｄの表示態様を変更し、演出制御信号を連携演出表示機４に出力し、連携演出を実施させる。
【００２４】
第１表示制御部２６は、ステアリングスイッチ８から第１開始操作検知信号を入力すると、その入力した第１開始操作検知信号によりユーザがステアリングスイッチ８を操作してポップアップ画面の表示開始操作を行ったことを特定する。第１表示制御部２６は、ポップアップ画面制御信号を遠方ディスプレイ７に出力し、ポップアップ画面の表示を開始させる。
【００２５】
第１表示制御部２６は、ステアリングスイッチ８から第１切替操作検知信号を入力すると、その入力した第１切替操作検知信号によりユーザがステアリングスイッチ８を操作してポップアップ画面の表示切替操作を行ったことを特定する。第１表示制御部２６は、ポップアップ画面制御信号を遠方ディスプレイ７に出力し、ポップアップ画面の表示を切替える。
【００２６】
第１表示制御部２６は、ステアリングスイッチ８から第１所定操作検知信号を入力すると、その入力した第１所定操作検知信号によりユーザがステアリングスイッチ８を操作してポップアップ画面中の所定項目に対する所定操作を行ったことを特定する。第１表示制御部２６は、ポップアップ画面制御信号を遠方ディスプレイ７に出力し、その特定した所定操作にしたがってポップアップ画面中の所定項目の表示を更新する。
【００２７】
視線方向特定部２７は、操作ディスプレイ２のカメラ１３から映像信号を入力すると、その入力した映像信号によりユーザの視線方向を特定する。
【００２８】
第２表示制御部２８は、操作ディスプレイ２のダイヤル１２から第２開始操作検知信号を入力すると、その入力した第２開始操作検知信号によりユーザがダイヤル１２を操作してポップアップ画面の表示開始操作を行ったことを特定する。第２表示制御部２８は、ユーザの視線方向が遠方ディスプレイ７の方向であれば、ポップアップ画面制御信号を遠方ディスプレイ７に出力し、ポップアップ画面の表示を開始させ、ユーザの視線方向が操作ディスプレイ２の方向であれば、ポップアップ画面制御信号を操作ディスプレイ２に出力し、ポップアップ画面の表示を開始させる。
【００２９】
第２表示制御部２８は、操作ディスプレイ２のダイヤル１２から第２切替操作検知信号を入力すると、その入力した第２切替操作検知信号によりユーザがダイヤル１２を操作してポップアップ画面の表示切替操作を行ったことを特定する。第２表示制御部２８は、ポップアップ画面制御信号を遠方ディスプレイ７又は操作ディスプレイ２に出力し、ポップアップ画面の表示を切替える。
【００３０】
第２表示制御部２８は、操作ディスプレイ２から第２所定操作検知信号を入力すると、その入力した第２所定操作検知信号によりユーザがダイヤル１２を操作してポップアップ画面中の所定項目に対する所定操作を行ったことを特定する。第２表示制御部２８は、ポップアップ画面制御信号を遠方ディスプレイ７又は操作ディスプレイ２に出力し、その特定した所定操作にしたがってポップアップ画面中の所定項目の表示を更新する。
【００３１】
機器制御部２９は、ステアリングスイッチ８から第１所定操作検知信号を入力すると、その入力した第１所定操作検知信号によりユーザがステアリングスイッチ８を操作してポップアップ画面中の所定項目に対する所定操作を行ったことを特定する。機器制御部２９は、操作ディスプレイ２のダイヤル１２から第２所定操作検知信号を入力すると、その入力した第２所定操作検知信号によりユーザがダイヤル１２を操作してポップアップ画面中の所定項目に対する所定操作を行ったことを特定する。機器制御部２９は、機器制御信号を車載機器に出力し、その特定した所定操作にしたがって車載機器の動作を制御する。
【００３２】
即ち、機器制御部２９は、例えば所定操作がナビ機能の目的地設定操作であると特定すると、機器制御信号をナビ機器３０に出力し、ナビ機器３０において目的地の設定を行う。機器制御部２９は、例えば所定操作がオーディオ機能の音量設定操作であると特定すると、機器制御信号をオーディオ機器３１に出力し、オーディオ機器３１において音量設定を行う。機器制御部２９は、例えば所定操作が電話機能の発信操作であると特定すると、機器制御信号を電話機器３２に出力し、電話機器３２において発信を行う。機器制御部２９は、例えば所定操作がエアコン機能の温度設定操作であると特定すると、機器制御信号をエアコン機器３３に出力し、エアコン機器３３において温度設定を行う。
【００３３】
次に、上記した構成の作用について図５から図２４を参照して説明する。表示制御ＥＣＵ１６において、制御部２４は、車両用表示制御システム１５が起動状態では、アイコンの操作判定処理、ステアリングスイッチの操作判定処理、ダイヤルの操作判定処理を並行する。以下、それぞれの処理について説明する。
【００３４】
（１）アイコンの操作判定処理
アイコンの操作判定処理について図５から図１３を参照して説明する。
制御部２４は、アイコンの操作判定処理を開始すると、ユーザが画面切替操作を行ったか否かを監視する（Ｓ１）。制御部２４は、操作ディスプレイ２からアイコン操作検知信号を入力し、ユーザが画面切替操作を行ったと判定すると（Ｓ１：ＹＥＳ）、その画面切替操作の内容を特定し（Ｓ２）、その画面切替操作が操作ディスプレイ２及び遠方ディスプレイ７のうち何れに対する画面切替操作であるかを判定する（Ｓ３，Ｓ４）。
【００３５】
制御部２４は、操作ディスプレイ２に対する画面切替操作（第１画面切替操作に相当する）であると判定すると（Ｓ３：ＹＥＳ）、画面切替制御信号をコンテンツ画面表示部１０に出力し、コンテンツ画面表示部１０のコンテンツ画面の表示を、その特定したアイコン１１ａ〜１１ｄに対応するコンテンツ画面に切替える（Ｓ５、第１画面切替制御手順に相当する）。又、制御部２４は、アイコン表示制御信号をアイコン表示部９に出力し、コンテンツ画面表示部１０のコンテンツ画面を切替えたことに応じてアイコン１１ａ〜１１ｄの表示態様を変更する（Ｓ６）。更に、制御部２４は、演出制御信号を連携演出表示機４に出力し、コンテンツ画面表示部１０のコンテンツ画面を切替えたことに応じて連携演出を実施する（Ｓ７）。
【００３６】
制御部２４は、遠方ディスプレイ７に対する画面切替操作（第２画面切替操作に相当する）であると判定すると（Ｓ４：ＹＥＳ）、画面切替制御信号をコンテンツ画面表示部１４に出力し、コンテンツ画面表示部１４のコンテンツ画面の表示を、その特定したアイコン１１ａ〜１１ｄに対応するコンテンツ画面に切替える（Ｓ８、第２画面切替制御手順に相当する）。又、制御部２４は、アイコン表示制御信号をアイコン表示部９に出力し、コンテンツ画面表示部１４のコンテンツ画面を切替えたことに応じてアイコン１１ａ〜１１ｄの表示態様を変更する（Ｓ９）。更に、制御部２４は、演出制御信号を連携演出表示機４に出力し、コンテンツ画面表示部１４のコンテンツ画面を切替えたことに応じて連携演出を実施する（Ｓ１０）。
【００３７】
制御部２４は、車両用表示制御システム１５の停止要求が発生したか否かを判定し（Ｓ１１）、車両用表示制御システム１５の停止要求が発生したと判定しない限りは（Ｓ１１：ＮＯ）、上記した処理を繰返して行う。制御部２４は、例えばユーザが降車することでＡＣＣ電源がオンからオフに切替わると、車両用表示制御システム１５の停止要求が発生したと判定し（Ｓ１１：ＹＥＳ）、アイコンの操作判定処理を終了する。
【００３８】
以下、具体例を説明する。
（ア）遠方ディスプレイ７の画面切替操作としてフリック操作が割当てられ、操作ディスプレイ２の画面切替操作として押込み操作が割当てられている場合
図６に示すように、操作ディスプレイ２にエアコン画面が表示され、遠方ディスプレイ７にオーディオ画面が表示されている状態から、ユーザがナビアイコン１１ａをフリック操作（第２所定操作に相当する）すると、制御部２４は、遠方ディスプレイ７のコンテンツ画面をオーディオ画面からナビ画面に切替える。この状態から、ユーザがオーディオアイコン１１ｂを押込み操作（第１所定操作に相当する）すると、制御部２４は、操作ディスプレイ２のコンテンツ画面をエアコン画面からオーディオ画面に切替える。
【００３９】
（イ）遠方ディスプレイ７の画面切替操作としてタッチ操作が割当てられ、操作ディスプレイ２の画面切替操作として押込み操作が割当てられている場合
図７に示すように、操作ディスプレイ２にエアコン画面が表示され、遠方ディスプレイ７にオーディオ画面が表示されている状態から、ユーザがナビアイコン１１ａをタッチ操作（第２所定操作に相当する）すると、制御部２４は、遠方ディスプレイ７のコンテンツ画面をオーディオ画面からナビ画面に切替える。この状態から、ユーザがオーディオアイコン１１ｂを押込み操作（第１所定操作に相当する）すると、制御部２４は、操作ディスプレイ２のコンテンツ画面をエアコン画面からオーディオ画面に切替える。
【００４０】
（ウ）遠方ディスプレイ７の画面切替操作としてタッチ操作が割当てられ、操作ディスプレイ２の画面切替操作として引込み操作が割当てられている場合
図８に示すように、操作ディスプレイ２にエアコン画面が表示され、遠方ディスプレイ７にオーディオ画面が表示されている状態からユーザがナビアイコン１１ａをタッチ操作（第２所定操作に相当する）すると、制御部２４は、遠方ディスプレイ７のコンテンツ画面をオーディオ画面からナビ画面に切替える。この状態からユーザがオーディオアイコン１１ｂを引込み操作（第１所定操作に相当する）すると、制御部２４は、操作ディスプレイ２のコンテンツ画面をエアコン画面からオーディオ画面に切替える。
【００４１】
尚、遠方ディスプレイ７のコンテンツ画面の表示を切替えるための操作と操作ディスプレイ２のコンテンツ画面の表示を切替えるための操作とは、互いに異なる操作であれば良く、例示したフリック操作、タッチ操作、押込み操作、引込み操作以外の操作であっても良い。
【００４２】
又、制御部２４は、以下のようにして、アイコン１１ａ〜１１ｄの表示態様を変更することで、遠方ディスプレイ７に表示中のコンテンツ画面や操作ディスプレイ２に表示中のコンテンツ画面をアイコン表示部９において通知する。即ち、制御部２４は、図９に示すように、遠方ディスプレイ７に表示中のコンテンツ画面に対応するアイコン１１ａ〜１１ｄの上側部分に円弧状のマーク４１ａ（第２特定情報に相当する）を表示し、操作ディスプレイ２に表示中のコンテンツ画面に対応するアイコン１１ａ〜１１ｄの下側部分に円弧状のマーク４１ｂ（第１特定情報に相当する）を表示しても良い。図９では、オーディオアイコン１１ｂの上側部分に円弧状のマーク４１ａを表示し、エアコンアイコン１１ｄの下側部分に円弧状のマーク４１ｂを表示している場合を例示している。
【００４３】
制御部２４は、図１０に示すように、遠方ディスプレイ７に表示中のコンテンツ画面に対応するアイコン１１ａ〜１１ｄの上側部分に矢印のマーク４２ａ（第２特定情報に相当する）を表示し、操作ディスプレイ２に表示中のコンテンツ画面に対応するアイコン１１ａ〜１１ｄの下側部分に矢印のマーク４２ｂ（第１特定情報に相当する）を表示しても良い。制御部２４は、図１１に示すように、遠方ディスプレイ７に表示中のコンテンツ画面に対応するアイコン１１ａ〜１１ｄの上側部分に延長部４３ａ（第２特定情報に相当する）を表示して当該上側部分が延びるように変形表示し、操作ディスプレイ２に表示中のコンテンツ画面に対応するアイコン１１ａ〜１１ｄの下側部分に延長部４３ｂ（第１特定情報に相当する）を表示して当該下側部分が延びるように変形表示しても良い。
【００４４】
制御部２４は、図１２に示すように、遠方ディスプレイ７に表示中のコンテンツ画面に対応するアイコン１１ａ〜１１ｄの上側部分に連結部４４ａ（第２特定情報に相当する）を表示して当該上側部分がアイコン表示部９の上端部に連結するように変形表示し、操作ディスプレイ２に表示中のコンテンツ画面に対応するアイコン１１ａ〜１１ｄの下側部分に連結部４４ｂ（第１特定情報に相当する）を表示して当該下側部分がアイコン表示部９の下端部に連結するように変形表示しても良い。制御部２４は、図１３に示すように、遠方ディスプレイ７に表示中のコンテンツ画面に対応するアイコン１１ａ〜１１ｄを上方に移動させて表示し、操作ディスプレイ２に表示中のコンテンツ画面に対応するアイコン１１ａ〜１１ｄを下方に移動させて表示しても良い。尚、制御部２４は、アイコン１１ａ〜１１ｄの表示態様を例示した以外の方法で変更しても良い。
【００４５】
又、制御部２４は、以下のようにして、連携演出表示機４において連携演出を実施することで、遠方ディスプレイ７のコンテンツ画面や操作ディスプレイ２のコンテンツ画面を切替えたことを通知する。即ち、連携演出表示機４がＬＥＤを有する構成であれば、制御部２４は、遠方ディスプレイ７のコンテンツ画面を切替えたときには、下方から上方に向かって光が流れるような演出を実施し、操作ディスプレイ２のコンテンツ画面を切替えたときには、上方から下方に向かって光が流れるような演出を実施しても良い。尚、制御部２４は、連携演出を例示した以外の方法で行っても良い。
【００４６】
（２）ステアリングスイッチの操作判定処理
ステアリングスイッチの操作判定処理について図１４から図１７を参照して説明する。
制御部２４は、ステアリングスイッチの操作判定処理を開始すると、ユーザがステアリングスイッチ８の操作を行ったか否かを監視する（Ｓ２１〜Ｓ２３）。制御部２４は、ステアリングスイッチ８から第１開始操作検知信号を入力し、ユーザがステアリングスイッチ８を操作してポップアップ画面の表示開始操作を行ったと判定すると（Ｓ２１：ＹＥＳ）、ポップアップ画面制御信号を遠方ディスプレイ７に出力し、遠方ディスプレイ７においてポップアップ画面の表示を開始させる（Ｓ２４）。
【００４７】
制御部２４は、ステアリングスイッチ８から第１切替操作検知信号を入力し、ユーザがステアリングスイッチ８を操作してポップアップ画面の表示切替操作を行ったと判定すると（Ｓ２２：ＹＥＳ）、ポップアップ画面制御信号を遠方ディスプレイ７に出力し、遠方ディスプレイ７においてポップアップ画面の表示を切替える（Ｓ２５）。
【００４８】
制御部２４は、ステアリングスイッチ８から第１所定操作検知信号を入力し、ユーザがステアリングスイッチ８を操作してポップアップ画面中の所定項目に対する所定操作を行ったと判定すると（Ｓ２３：ＹＥＳ）、ポップアップ画面制御信号を遠方ディスプレイ７に出力し、その特定した所定操作にしたがってポップアップ画面に表示中の所定項目の表示を更新する（Ｓ２６）。又、制御部２４は、機器制御信号を車載機器に出力し、その特定した所定操作にしたがって車載機器の動作を制御する（Ｓ２７）。
【００４９】
制御部２４は、車両用表示制御システム１５の停止要求が発生したか否かを判定し（Ｓ２８）、車両用表示制御システム１５の停止要求が発生したと判定しない限りは（Ｓ２８：ＮＯ）、上記した処理を繰返して行う。制御部２４は、例えばユーザが降車することでＡＣＣ電源がオンからオフに切替わると、車両用表示制御システム１５の停止要求が発生したと判定し（Ｓ２８：ＹＥＳ）、ステアリングスイッチの操作判定処理を終了する。
【００５０】
即ち、図１５に示すように、操作ディスプレイ２にオーディオ画面が表示され、遠方ディスプレイ７にナビ画面が表示されている状態から、ユーザがステアリングスイッチ８を操作してポップアップ画面の表示開始操作を行うと、制御部２４は、例えば遠方ディスプレイ７において運転席のエアコン設定を可能なポップアップ画面Ａ１の表示を開始する。
【００５１】
又、図１６に示すように、運転席のエアコン設定を可能なポップアップ画面がＡ１表示されている状態から、ユーザがステアリングスイッチ８を操作してポップアップ画面の表示切替操作を行うと、制御部２４は、遠方ディスプレイ７において運転席のエアコン設定を可能なポップアップ画面Ａ１から助手席のエアコン設定を可能なポップアップ画面Ａ２に切替える。
【００５２】
又、図１７に示すように、運転席のエアコン設定を可能なポップアップ画面Ａ１が表示されている状態から、例えばユーザがステアリングスイッチ８を操作して温度設定操作を行うと、制御部２４は、その温度設定操作にしたがってポップアップ画面中の温度設定の表示を更新し、エアコン機器３３の動作を制御する。図１７では、ユーザがステアリングスイッチ８を操作して温度を下げる操作を行ったことに応じて温度設定の表示を「２５．０」から「２４．０」に更新した場合を例示している。
【００５３】
尚、制御部２４は、ユーザがステアリングスイッチ８を操作してポップアップ画面の表示開始操作を行った直後に最初に表示するポップアップ画面を、デフォルトのポップアップ画面としても良いし、前回の最後に表示したポップアップ画面としても良い。即ち、ポップアップ画面は、温度設定の画面に限らず風向設定や風量設定の画面等、どのような画面であっても良い。又、制御部２４は、表示中のポップアップ画面を、ユーザがステアリングスイッチ８を操作することで消去しても良いし、表示を開始してからの経過時間が所定時間に達することで消去しても良い。
【００５４】
（３）ダイヤルの操作判定処理
ダイヤルの操作判定処理について図１８から図２４を参照して説明する。
操作判定処理
制御部２４は、ダイヤルの操作判定処理を開始すると、ユーザがダイヤル１２の操作を行ったか否かを監視する（Ｓ３１〜Ｓ３３）。制御部２４は、ダイヤル１２から第２開始操作検知信号を入力し、ユーザがダイヤル１２を操作してポップアップ画面の表示開始操作を行ったと判定すると（Ｓ３１：ＹＥＳ）、表示開始制御処理に移行する（Ｓ３４）。
【００５５】
制御部２４は、表示開始制御処理に移行すると、その時点でのユーザの視線方向を判定する（Ｓ４１，Ｓ４２）。制御部２４は、ユーザの視線方向が遠方ディスプレイ７の方向であると判定すると（Ｓ４１：ＹＥＳ）、ポップアップ画面制御信号を遠方ディスプレイ７に出力し、遠方ディスプレイ７においてポップアップ画面の表示を開始させる（Ｓ４３）。制御部２４は、ユーザの視線方向が操作ディスプレイ２の方向であると判定すると（Ｓ４２：ＹＥＳ）、ポップアップ画面制御信号を操作ディスプレイ２に出力し、操作ディスプレイ２においてポップアップ画面の表示を開始させる（Ｓ４４）。
【００５６】
制御部２４は、ダイヤル１２から第２切替操作検知信号を入力し、ユーザがダイヤル１２を操作してポップアップ画面の表示切替操作を行ったと判定すると（Ｓ３２：ＹＥＳ）、表示切替制御処理に移行する（Ｓ３５）。
【００５７】
制御部２４は、表示切替制御処理に移行すると、その時点でポップアップ画面を操作ディスプレイ２及び遠方ディスプレイ７の何れに表示中であるかを判定する（Ｓ５１，Ｓ５２）。制御部２４は、その時点でポップアップ画面を遠方ディスプレイ７に表示中であると判定すると（Ｓ５１：ＹＥＳ）、ポップアップ画面制御信号を遠方ディスプレイ７に出力し、遠方ディスプレイ７においてポップアップ画面の表示を切替える（Ｓ５３）。制御部２４は、その時点でポップアップ画面を操作ディスプレイ２に表示中であると判定すると（Ｓ５２：ＹＥＳ）、ポップアップ画面制御信号を操作ディスプレイ２に出力し、操作ディスプレイ２においてポップアップ画面の表示を切替える（Ｓ５４）。
【００５８】
制御部２４は、ダイヤル１２から第２所定操作検知信号を入力し、ユーザがダイヤル１２を操作してポップアップ画面中の所定項目に対する所定操作を行ったと判定すると（Ｓ３３：ＹＥＳ）、項目制御処理に移行する（Ｓ３６）。
【００５９】
制御部２４は、項目制御処理に移行すると、その時点でポップアップ画面を操作ディスプレイ２及び遠方ディスプレイ７の何れに表示中であるかを判定する（Ｓ６１，Ｓ６２）。制御部２４は、その時点でポップアップ画面を遠方ディスプレイ７に表示中であると判定すると（Ｓ６１：ＹＥＳ）、ポップアップ画面制御信号を遠方ディスプレイ７に出力し、ポップアップ画面に表示中の所定項目の表示を更新する（Ｓ６３）。又、制御部２４は、機器制御信号を車載機器に出力し、その特定した所定操作にしたがって車載機器の動作を制御する（Ｓ６４）。制御部２４は、その時点でポップアップ画面を操作ディスプレイ２に表示中であると判定すると（Ｓ６２：ＹＥＳ）、ポップアップ画面制御信号を操作ディスプレイ２に出力し、操作ディスプレイ２に表示中の所定項目の表示を更新する（Ｓ６５）。又、制御部２４は、機器制御信号を車載機器に出力し、その特定した所定操作にしたがって車載機器の動作を制御する（Ｓ６６）。
【００６０】
制御部２４は、車両用表示制御システム１５の停止要求が発生したか否かを判定し（Ｓ３７）、車両用表示制御システム１５の停止要求が発生したと判定しない限りは（Ｓ３７：ＮＯ）、上記した処理を繰返して行う。制御部２４は、例えばユーザが降車することでＡＣＣ電源がオンからオフに切替わると、車両用表示制御システム１５の停止要求が発生したと判定し（Ｓ３７：ＹＥＳ）、ダイヤルの操作判定処理を終了する。
【００６１】
即ち、図２２に示すように、操作ディスプレイ２にオーディオ画面が表示され、遠方ディスプレイ７にナビ画面が表示されている状態から、ユーザがダイヤル１２に触れてポップアップ画面の表示開始操作を行うと、その時点でのユーザの視線方向が操作ディスプレイ２の方向であれば、制御部２４は、例えば操作ディスプレイ２において運転席のエアコン設定を可能なポップアップ画面Ｂ１の表示を開始する。一方、その時点でのユーザの視線方向が遠方ディスプレイ７の方向であれば、上記した図１５に示したように、制御部２４は、例えば操作ディスプレイ２において運転席のエアコン設定を可能なポップアップ画面Ａ１の表示を開始する。
【００６２】
又、図２３に示すように、運転席のエアコン設定を可能なポップアップ画面Ｂ１が表示されている状態から、ユーザがダイヤル１２を押込み操作してポップアップ画面の表示切替操作を行うと、制御部２４は、例えば操作ディスプレイ２において運転席のエアコン設定を可能なポップアップ画面Ｂ１から助手席のエアコン設定を可能なポップアップ画面Ｂ２に切替える。
【００６３】
又、図２４に示すように、運転席のエアコン設定を可能なポップアップ画面Ｂ１が表示されている状態から、例えばユーザがダイヤル１２を回動操作して温度設定操作を行うと、制御部２４は、その温度設定操作にしたがってポップアップ画面中の温度設定の表示を更新し、エアコン機器３３の動作を制御する。図２４では、ユーザがダイヤル１２を回動操作して温度を下げる操作を行ったことに応じて温度設定の表示を「２５．０」から「２４．０」に更新した場合を例示している。
【００６４】
この場合も、制御部２４は、ユーザがダイヤル１２を操作してポップアップ画面の表示開始操作を行った直後に最初に表示するポップアップ画面を、デフォルトのポップアップ画面としても良いし、前回の最後に表示したポップアップ画面としても良い。即ち、ポップアップ画面は、温度設定の画面に限らず風向設定や風量設定の画面等、どのような画面であっても良い。又、制御部２４は、表示中のポップアップ画面を、ユーザがダイヤル１２を操作することで消去しても良いし、表示を開始してからの経過時間が所定時間に達することで消去しても良い。
【００６５】
以上は、エアコン機能に関するポップアップ画面を表示する構成を例示したが、ナビ機能やオーディオ機能や電話機能に関するポップアップ画面を表示する構成でも良い。又、ポップアップ画面として表示するコンテンツをユーザが設定可能としても良い。又、ユーザがダイヤル１２を押込み操作する毎に、例えば運転席の温度設定、運転席の風向設定、運転席の風量設定、助手席の温度設定、助手席の風向設定、助手席の風量設定等の順序にしたがって設定項目を変更する構成でも良い。
【００６６】
又、以上は、１個のダイヤル１２が設けられる構成を例示したが、例えば２個のダイヤルが左右方向に並んで配置され、運転席用の温度設定や風向設定や風量設定のダイヤルと、助手席用の温度設定や風向設定や風量設定のダイヤルとが独立した構成でも良い。
【００６７】
以上に説明したように本実施形態によれば、次に示す効果を得ることができる。
車両用表示制御システム１５において、ユーザが操作ディスプレイ２を操作することで、操作ディスプレイ２及び遠方ディスプレイ７の画面切替操作を行えるように構成し、ユーザからの操作ディスプレイ２の画面切替操作が受付けられると、操作ディスプレイ２のコンテンツ画面の表示を切替え、ユーザからの遠方ディスプレイ７の画面切替操作が受付けられると、遠方ディスプレイ７のコンテンツ画面の表示を切替えるようにした。操作性及び安全性を損なうことなく、操作ディスプレイ２及び遠方ディスプレイ７の両方のコンテンツ画面の表示をユーザが適切に切替えることができる。又、ユーザが操作ディスプレイ２を操作することで、遠方ディスプレイ７のコンテンツ画面の表示を切替えることで、運転時の視認性と手元での操作性とを両立させることができる。
【００６８】
ユーザがアイコン１１ａ〜１１ｄに対して行う操作を画面切替操作として受付けるように構成した。ユーザがアイコン１１ａ〜１１ｄに対して操作を行うことで、操作ディスプレイ２及び遠方ディスプレイ７のコンテンツ画面の表示をユーザが適切に切替えることができる。
【００６９】
操作ディスプレイ２のコンテンツ画面の表示を切替えるための操作と遠方ディスプレイ７のコンテンツ画面の表示を切替えるための操作とが異なるようにした。操作ディスプレイ２のコンテンツ画面の表示を切替えるための操作と遠方ディスプレイ７のコンテンツ画面の表示を切替えるための操作とをユーザが混同せずに把握することができる。
【００７０】
遠方ディスプレイ７に表示中のコンテンツ画面に対応するアイコン１１ａ〜１１ｄの上側部分に円弧状のマーク４１ａを表示し、操作ディスプレイ２に表示中のコンテンツ画面に対応するアイコン１１ａ〜１１ｄの下側部分に円弧状のマーク４１ｂを表示するようにした。アイコン１１ａ〜１１ｄの表示態様により、遠方ディスプレイ７に表示中のコンテンツ画面や操作ディスプレイ２に表示中のコンテンツ画面をユーザが適切に把握することができる。
【００７１】
ユーザがステアリングスイッチ８を操作すると、遠方ディスプレイ７においてポップアップ画面の表示を開始したり切替えたり、ポップアップ画面中の所定項目の表示を更新すると共に車載機器の動作を制御したりするようにした。運転時の視認性を確保しつつ、ユーザが各種操作を適切に行うことができる。
【００７２】
ユーザがダイヤル１２を操作すると、ユーザの視線方向に応じて操作ディスプレイ２又は遠方ディスプレイ７においてポップアップ画面の表示を開始したり切替えたり、ポップアップ画面中の所定項目の表示を更新すると共に車載機器の動作を制御したりするようにした。ユーザの視線方向に応じてユーザが各種操作を適切に行うことができる。
【００７３】
本開示は、実施例に準拠して記述されたが、当該実施例や構造に限定されるものではないと理解される。本開示は、様々な変形例や均等範囲内の変形をも包含する。加えて、様々な組み合わせや形態、更には、それらに一要素のみ、それ以上、或いはそれ以下を含む他の組み合わせや形態をも、本開示の範疇や思想範囲に入るものである。
コンテンツ画面は、ナビ画面、オーディオ画面、電話画面、エアコン画面に限らず、例えばアプリ画面等でも良い。
【００７４】
コンテンツ画面表示部は、操作ディスプレイや遠方ディスプレイに設けられる構成に限らず、ヘッドアップディスプレイやメータディスプレイ６に設けられる構成でも良い。又、配置位置が異なる３つ以上のディスプレイで３つ以上のコンテンツ画面が同時に表示される構成でも良い。
【符号の説明】
【００７５】
図面中、１５は車両用表示制御システム、１０はコンテンツ画面表示部（第１表示部）、１４はコンテンツ画面表示部（第２表示部）、１７は画面切替操作受付部、１８は第２開始操作受付部、１９は第２切替操作受付部、２０は第２所定操作受付部、２１は第１開始操作受付部、２２は第１切替操作受付部、２３は第１所定操作受付部、２４は制御部、２５は画面切替制御部、２６は第１表示制御部、２７は視線方向特定部、２８は第２表示制御部、２９は機器制御部である。
【図１】
2019202723.tif 000003
【図２】
2019202723.tif 000004
【図３】
2019202723.tif 000005
【図４】
2019202723.tif 000006
【図５】
2019202723.tif 000007
【図６】
2019202723.tif 000008
【図７】
2019202723.tif 000009
【図８】
2019202723.tif 000010
【図９】
2019202723.tif 000011
【図１０】
2019202723.tif 000012
【図１１】
2019202723.tif 000013
【図１２】
2019202723.tif 000014
【図１３】
2019202723.tif 000015
【図１４】
2019202723.tif 000016
【図１５】
2019202723.tif 000017
【図１６】
2019202723.tif 000018
【図１７】
2019202723.tif 000019
【図１８】
2019202723.tif 000020
【図１９】
2019202723.tif 000021
【図２０】
2019202723.tif 000022
【図２１】
2019202723.tif 000023
【図２２】
2019202723.tif 000024
【図２３】
2019202723.tif 000025
【図２４】
2019202723.tif 000026